(57)【要約】【課題】水槽本体内の水の交換作業を容易に行うことができ、更に、水槽本体内の水温の上昇を抑制することができる観賞魚用水槽を提供すること。【解決手段】観賞魚用水槽１の水槽本体２内の上開口周縁2aよりも上側に、水槽本体用蓋体30が上開口周縁2aとの間に上下方向に隙間51が生じる態様にして配置されている。【選択図】図２
2012187080.tif 000002
【特許請求の範囲】
【請求項１】
水槽本体の上開口周縁よりも上側に、前記水槽本体用蓋体が前記上開口周縁との間に上下方向に第１隙間が生じる態様にして配置されていることを特徴とする観賞魚用水槽。
【請求項２】
平面視において、前記水槽本体の上開口周縁よりも内側に、前記蓋体の外周縁の少なくとも一部が前記上開口周縁との間に水平方向に第２隙間が生じる態様にして配置されている請求項１記載の観賞魚用水槽。
【請求項３】
前記蓋体は、前記水槽本体の後部側から前部側へ延びて配置されるとともに、
前記第２隙間は、前記蓋体の外周縁における前縁部と前記水槽本体の上開口周縁における前縁部との間に生じている請求項２記載の観賞魚用水槽。
【請求項４】
前記蓋体に、前記水槽本体の内側に向けて照明をする照明具が設けられている請求項１〜３のいずれかに記載の観賞魚用水槽。
【発明の詳細な説明】
【技術分野】
【０００１】
本発明は、熱帯魚等の観賞魚用水槽に関する。
【背景技術】
【０００２】
一般家庭等で用いられる観賞魚用水槽は、空気中を漂う埃などが水槽本体内に入るのを防止したり、観賞魚が水槽本体内の水中から外側へ飛び出るのを防止したりするため、蓋体を備えている。この蓋体は、一般的に特開平３−１９５４３４号公報（特許文献１）等に開示されているように、水槽本体の上開口周縁にその開口全体を覆うように載置されている。
【先行技術文献】
【特許文献】
【０００３】
【特許文献１】特開平３−１９５４３４号公報
【発明の概要】
【発明が解決しようとする課題】
【０００４】
そのため、水槽本体内の水を交換する際には、蓋体を水槽本体の上開口周縁から外してから水換えポンプを水槽本体内に差し込んで水の交換を行う必要があり、水の交換作業が面倒であった。さらに、水槽本体内の熱が逃げにくくなるので、水槽本体内の水温が上昇し易かった。
【０００５】
本発明は、上述した技術背景に鑑みてなされたもので、その目的は、水槽本体内の水の交換作業を容易に行うことができ、更に、水槽本体内の水温の上昇を抑制することができる観賞魚用水槽を提供することにある。
【課題を解決するための手段】
【０００６】
本発明は以下の手段を提供する。
【０００７】
［１］  水槽本体の上開口周縁よりも上側に、前記水槽本体用蓋体が前記上開口周縁との間に上下方向に第１隙間が生じる態様にして配置されていることを特徴とする観賞魚用水槽。
【０００８】
［２］  平面視において、前記水槽本体の上開口周縁よりも内側に、前記蓋体の外周縁の少なくとも一部が前記上開口周縁との間に水平方向に第２隙間が生じる態様にして配置されている前項１記載の観賞魚用水槽。
【０００９】
［３］  前記蓋体は、前記水槽本体の後部側から前部側へ延びて配置されるとともに、
前記第２隙間は、前記蓋体の外周縁における前縁部と前記水槽本体の上開口周縁における前縁部との間に生じている前項２記載の観賞魚用水槽。
【００１０】
［４］  前記蓋体に、前記水槽本体の内側に向けて照明をする照明具が設けられている前項１〜３のいずれかに記載の観賞魚用水槽。
【発明の効果】
【００１１】
本発明は以下の効果を奏する。
【００１２】
上記［１］記載の観賞魚用水槽では、水槽本体の上開口周縁よりも上側に、水槽本体用蓋体が上開口周縁との間に上下方向に第１隙間が生じる態様にして配置されていることから、水槽本体内の水の交換を行う際には、蓋体を外さなくても第１隙間から水換えポンプを水槽本体内に差し込んで水の交換を行うことができるので、水の交換作業を容易に行うことができる。
【００１３】
さらに、第１隙間から水槽本体内に流入した外気が水槽本体内の水面に接触することにより水の熱が逃げるので、水温の上昇を抑制することができる。
【００１４】
さらに、観賞魚に餌を与える際には、蓋体を外さなくても第１隙間から餌を水槽本体内に投入できるので、観賞魚への給餌作業を容易に行うことができる。
【００１５】
上記［２］記載の観賞魚用水槽では、水槽本体の上開口周縁よりも内側に、蓋体の外周縁の少なくとも一部が上開口周縁との間に水平方向に第２隙間が生じる態様にして配置されていることから、水の交換作業を更に容易に行うことができるし、水槽本体内の水温の上昇を確実に抑制することができるし、観賞魚への給餌作業を更に容易に行うことができる。しかも、蓋体を外さなくても、観賞魚が餌を食べている様子を水槽本体内の水面の上側から第２隙間を通じて見ることができる。
【００１６】
上記［３］記載の観賞魚用水槽では、蓋体が水槽本体の後部側から前部側へ延びて配置されているので、水槽の外観が良好である。さらに、第２隙間は、蓋体の外周縁における前縁部と水槽本体の上開口周縁における前縁部との間に生じているので、水の交換や観賞魚への給餌を水槽本体の前側から行うことができる。そのため、水の交換作業や給餌作業をより一層容易に行うことができるし、観賞魚が餌を食べている様子を容易に見ることができる。
【００１７】
上記［４］記載の観賞魚用水槽では、蓋体に、水槽本体の内側に向けて照明をする照明具が設けられているので、蓋体を外さなくても照明具により水槽本体の内側に向けて照明をした状態で水の交換や観賞魚への給餌を行うことができる。これにより、水の交換作業や給餌作業を更に一層容易に行うことができるし、観賞魚が餌を食べている様子が見え易くなる。
【図面の簡単な説明】
【００１８】
【図１】図１は、本発明の一実施形態に係る観賞魚用水槽の一部切欠き斜視図である。
【図２】図２は、同水槽の側面図である。
【図３】図３は、同水槽の平面図である。
【図４】図４は、同水槽の後面図である。
【図５】図５は、同水槽の断面図である。
【図６】図６は、同水槽の分解斜視図である。
【図７】図７は、同水槽の蓋体を取り外した状態の斜視図である。
【発明を実施するための形態】
【００１９】
次に、本発明の一実施形態について図面を参照して以下に説明する。
【００２０】
本発明の一実施形態に係る観賞魚用水槽１は、図１〜６に示すように、水槽本体２、水槽本体２用の蓋体３０、水受け板１０、濾過器２０などを具備している。
【００２１】
水槽本体２は、前板３、左板４、右板４、後板５及び底板７を有する上方が開口した四角箱状のものである。これら前板３、左右各板４、４、後板５及び底板７は、水槽本体２内の水４０が水槽本体２の外側に漏出しないように水４０を遮蔽するものである。前板３と左右各板４、４はそれぞれ透明のプラスチック又はガラス製である。後板５は透明又は不透明のプラスチック製である。また、図５に示すように、底板７上には底砂７ａが敷設されている。
【００２２】
さらに、この水槽本体２では、図５及び６に示すように、後板５の上板部５ａはその下板部５ｂよりも後側に配置されるとともに、上板部５ａと下板部５ｂとが水平状の段板部５ｃを介して互いに一体に連結されており、そのため後板５の上板部５ａと下板部５ｂとの間に段差が生じている。これにより、水槽本体２内における後板５の上部（即ち水槽本体２内の後部側）に、段板部５ｃよりも上側の段差空間からなる濾過器収容空間６が水槽本体２の内方に開いて形成されている。
【００２３】
さらに、この後板５（詳述すると後板５の上板部５ａ及び下板部５ｂ）に対して後側に離間した位置には、後板５の後外面を覆う後カバー体８が配置されるとともに、この後カバー体８の左右各端部が水槽本体２の左右各板４、４の後端部に分離可能に固定され、更に、この後カバー体８の左右各端部の上縁部が水槽本体２の左右各板４、４の後端部の上縁部に分離可能に固定されている。
【００２４】
濾過器２０は、水槽本体２内の水４０を濾過するものであり、該濾過器２０の少なくとも下部が水槽本体２内の水４０中に浸漬される状態に配置されて使用される薄型のものである。図５に示すように、この濾過器２０のプラスチック製ケーシング２１の内部には濾過材２３及び水循環水中ポンプ２２が収納配置されている。そして、この濾過器２０が水槽本体２内における後板５の上部に形成された上記濾過器収容空間６内に上方から取り出し可能に縦置きに収容配置されている。この収容状態において、濾過器２０は水槽本体２の後板５の段板部５ｃ上に載置されており、また図６に示すように、後カバー体８の左右各端部の上縁部に設けられた前後一対の保持片８ａ、８ａ間に上方から濾過器２０の左右各端部がスライド挿入されることで、濾過器２０が濾過器収容空間６から脱落しないように保持されている。こうして、濾過器２０は水槽本体２内の後部に取り出し可能に配置されている。  また、濾過器２０の上部は水槽本体２内の水面４１よりも上側に配置されている。
【００２５】
さらに、図６に示すように、この濾過器２０のケーシング２１の前面の下部には、該ケーシング２１内の水循環ポンプ２２（図５参照）の吸引力によって水槽本体２内の水４０をケーシング２１内に吸い込む際に水４０が通過する複数のスリット状吸い込み口２４が設けられている。この吸い込み口２４から吸い込まれた水は、水循環ポンプ２２の動力によってケーシング２１内の濾過材２３を通過することで濾過されて濾過水４０ａとなるとともに、この濾過水４０ａがケーシング２１の前部の上端部に形成された幅広の吐出口２５から水槽本体２内において前向きに吐出される。吐出口２５の幅寸法は、水槽本体２の左右両板４、４間の幅寸法と略同寸に設定されている。
【００２６】
水受け板１０は、光透性を有する無色透明プラスチック製のものであり、図５及び７に示すように、水槽本体２内の水面４１よりも上側で且つ水槽本体２の上開口周縁２ａよりも若干下側の高さ位置に、該水面４１の略全面（詳述すると、平面視において水面４１の全面積に対して８０％以上（好ましくは９０％以上）を覆う状態にして略水平に配置されている。
【００２７】
この水受け板１０は、その上面１１上に供給された水４０を略水平方向に受け流して水槽本体２内へすだれ状乃至膜状に落下させるものである。本実施形態では、図１及び５に示すように、水受け板１０は、その上面１１上に供給される水４０として、濾過器２０の吐出口２５から吐出された濾過水４０ａを、水受け板１０の上面１１上における水槽本体２の後部側から前部側へ受け流して水受け板１０の前端縁１９から水槽本体２内の水面４１の前部上へ膜状に落下させるものである。なお、水受け板１０の前端縁１９と水槽本体２の前板３との間には隙間が水平方向に生じている。
【００２８】
図６に示すように、水受け板１０の左右両端縁には左右一対の立ち上がり状の側板部１５ａ、１５ａが該水受け板１０の前後方向に連続して一体形成されている。また、水受け板１０の後端縁には後板部１５ｂが左右方向に連続して立ち上がり状に一体形成されている。さらに、左右各側板部１５ａの上端部の前部及び後部には、それぞれ外側方突出状の係止片１６、１６が一体形成されている。そして、図７に示すように、これらの係止片１６が水槽本体２の左右各板４、４の上縁部及び後カバー体８の左右各端部の上縁部に上方から係脱可能に係止されており、これにより、水受け板１０が水槽本体２内の所定高さ位置に取外し可能に配置されている。
【００２９】
また、図６及び７に示すように、水受け板１０の上面１１には溝部１３が水受け板１０の後端部から前端縁１９まで連続して形成されている。そして、この水受け板１０の上面１１上の溝部１３内に濾過器２０の吐出口２５から吐出された濾過水４０ａが供給されて、この濾過水４０ａが溝部１３内を流れて水受け板１０の前端縁１９から水槽本体２内の水面４１の前部上へ膜状に落下する。
【００３０】
蓋体３０は、プラスチック製のものであり、図１、２及び５に示すように、水槽本体２の上開口周縁２ａよりも上側に、水槽本体２の後部側から前部側へ水槽本体２の上開口を概ね覆うように軒（のき）状に延びて略水平に配置されている。この状態において、蓋体３０と水槽本体２の上開口周縁２ａとの間には上下方向に第１隙間５１が生じている。この第１隙間５１は様々に設定可能であるが、特に２０〜４０ｍｍの範囲内に設定されることが望ましい。
【００３１】
さらに、図３及び５に示すように、水槽１の平面視において、水槽本体２の上開口周縁２ａよりも内側に、蓋体３０の外周縁の一部が上開口周縁２ａとの間に水平方向に第２隙間５２が生じる態様にして配置されている。本実施形態では、蓋体３０の外周縁における前縁部３０ａが水槽本体２の上開口周縁２ａにおける前縁部２ｂよりも内側に配置されており、これにより、蓋体３０の外周縁における前縁部３０ａと水槽本体２の上開口周縁２ａにおける前縁部２ｂとの間に、第２隙間５２が水平方向に生じている。この第２隙間５２は様々に設定可能であるが、特に１０〜３０ｍｍの範囲内に設定されることが望ましい。
【００３２】
さらに、この蓋体３０は、水槽本体２の後端部（詳述すると後カバー体８）の上端部に分離可能に取り付けられている。
【００３３】
さらに、図５に示すように、蓋体３０の内部には、水槽本体２の内側に向けて照明をする照明具３１が配置されている。この照明具３１は、詳述すると照明光源として複数のＬＥＤを有するもの、即ちＬＥＤ照明具であり、蓋体３０の上面に設けられた円盤状の調光操作ダイヤル３３を手で回転させることでその光量（明るさ）を調整しうるように構成されている。なお、３４は、ダイヤル３３を操作することで調光された照明具３１の調光状態を表示する表示部である。３２は、照明具３１についての防滴用透光板である。
【００３４】
本実施形態の観賞魚用水槽１では、図５に示すように、水槽本体２内の水４０中に観賞魚（図示せず）が飼育されており、この水槽本体２内の水４０は、該水槽本体２内の後部側から濾過器２０（ケーシング２１）内の水循環ポンプ２２の吸引力によって吸い込み口２４（図６参照）を介して濾過器２０内部に吸い込まれる。吸い込まれた水４０は、濾過器２０内の濾過材２３を通過することで濾過されて清浄な水、即ち濾過水４０ａとなる。そして、この濾過水４０ａは水循環ポンプ２２の動力によって濾過器２０の吐出口２５から吐出されて、水受け板１０の上面１１上における溝部１３の後部側に供給される。供給された濾過水４０ａは、水受け板１０の上面１１上における溝部１３内の底面で受けられて該溝部１３内を前部側へ流れる。そして、溝部１３内を流れる濾過水４０ａが水受け板１０の前端縁１９から膜状に水槽本体２内の水面４１の前部上へ落下する（図１参照）。落下した濾過水４０ａは、水槽本体２内の水４０と混ざりながら濾過器２０内の水循環ポンプ２２の吸引力によって水槽本体２内の後部側へ吸い寄せられて再度、濾過器２０内に吸い込まれる。このように水槽本体２内の水４０は循環する。
【００３５】
而して、本実施形態の観賞魚用水槽１は次のような利点がある。
【００３６】
すなわち、図２及び５に示すように、水槽本体２の上開口周縁２ａよりも上側に、蓋体３０が上開口周縁２ａとの間に上下方向に第１隙間５１が生じる態様にして配置されていることから、水槽本体２内の水４０の交換を行う際には、蓋体４１を外さなくても第１隙間５１から水換えポンプ（図示せず）を水槽本体２内に差し込んで水４０の交換を行うことができるので、水４０の交換作業を容易に行うことができる。
【００３７】
さらに、第１隙間５１から水槽本体２内に流入した外気が水槽本体２内の水面４１に接触することにより水４０の熱が逃げるので、水温の上昇を抑制することができる。
【００３８】
さらに、観賞魚に餌を与える際には、蓋体３０を外さなくても第１隙間５１から餌を水槽本体２内に投入できるので、観賞魚への給餌作業を容易に行うことができる。
【００３９】
また、水槽本体２の上開口周縁２ａよりも内側に、蓋体３０の外周縁の少なくとも一部（前縁部３０ａ）が上開口周縁２ａとの間に水平方向に第２隙間５２が生じる態様にして配置されていることから、水槽本体２内の水４０の交換作業を更に容易に行うことができるし、水槽本体２内の水温の上昇を確実に抑制することができるし、観賞魚への給餌作業を更に容易に行うことができる。しかも、蓋体３０を外さなくても、観賞魚が餌を食べている様子を水槽本体２内の水面４１の上側から第２隙間５２を通じて見ることができる。
【００４０】
さらに、蓋体３０が水槽本体２の後部側から前部側へ延びて配置されているので、水槽１の外観が良好である。さらに、第２隙間５２は、蓋体３０の外周縁における前縁部３０ａと水槽本体２の上開口周縁２ａにおける前縁部２ｂとの間に生じているので、水４０の交換や観賞魚への給餌を水槽本体２の前側から行うことができる。そのため、水４０の交換作業や給餌作業をより一層容易に行うことができるし、観賞魚が餌を食べている様子を容易に見ることができる。
【００４１】
さらに、蓋体３０には、水槽本体２の内側に向けて照明をする照明具３１が設けられているので、蓋体３０を外さなくても照明具３１により水槽本体２の内側に向けて照明をした状態で水４０の交換や観賞魚への給餌を行うことができる。これにより、水４０の交換作業や給餌作業を更に一層容易に行うことができるし、観賞魚が餌を食べている様子が見え易くなる。
【００４２】
さらに、水受け板１０は、該水受け板１０上（即ち水受け板１０の上面１１上）に供給された水４０（濾過水４０ａ）を略水平方向に受け流して水槽本体２内へ落下させるものであるから、水４０の空気との接触面積及び接触時間を増加させることができ、もって水４０に酸素を確実に取り込ませることができる。
【００４３】
さらに、この水受け板１０は、水槽本体２内の水面４１に対して上側に離間した位置に水槽本体２内の水面４１の略全面を覆う状態に配置されているから、この観賞魚用水槽１は従来の水槽にはない新規な構造を有しており、趣向性が高められている。
【００４４】
また、水受け板１０は、該水受け板１０上に供給された水４０（濾過水４０ａ）を水槽本体２内へ膜状に落下させるものであるから、水４０の空気との接触面積及び接触時間を更に増加させることができ、もって水４０に酸素を更に確実に取り込ませることができるし、趣向性を更に高めることができる。
【００４５】
また、水受け板１０に対して上側に離間した位置に蓋体３０が配置されているので、空気中を漂う埃等が水受け板１０上に落下してここを流れる水４０（濾過水４０ａ）と一緒に水槽本体２内へ流入するのをこの蓋体３０によって防止することができる。
【００４６】
また、水受け板１０は光透性を有するものであり、この水受け板１０よりも上側（本実施形態では蓋体３０の内部）に照明具３１が配置されているので、水受け板１０の上側から照明具３１により水槽本体２の内側に向けて照明をすると、その照明光が水受け板１０上を流れる水４０及び水受け板１０を順次透過する。そのため、水槽本体２内の水４０を照明することができるし、更には、水受け板１０上を流れる水４０によって照明光が揺らぐので、照明効果を向上させることができる。
【００４７】
また、水槽本体２内の後部として、水槽本体２内における後板５の上部に形成された濾過器収容空間６内には、水槽本体２内の水４０を水槽本体２の後部側から吸い込んで濾過する濾過器２０が配置されており、水受け板１０は、該水受け板１０上に供給される水４０として、濾過器２０により濾過された濾過水４０ａを水受け板１０上における水槽本体２の後部側から前部側に受け流して水受け板１０の前端縁１９から水槽本体２内の水面４１の前部上へ落下させるものであるから、上述したように、水槽本体２内の水４０は循環するようになる。ここで、水受け板１０の前端縁１９から落下する濾過水４０ａの落下位置は水槽本体２内の前部であり、一方、濾過器２０により吸い込まれる水槽本体２内の水４０の吸い込み位置（即ち濾過器２０の吸い込み口２４の位置）は水槽本体２内の後端部であるから、落下位置と吸い込み位置との距離は長い。したがって、水槽本体２内に落下した濾過水４０ａがその落下位置から吸い込み位置に到達するまでの間に、水槽本体２内の水４０の略全部が濾過器２０により吸い込まれて濾過されることになるため、水槽本体２内の水４０に対して効率良く濾過することができるし、更に、水槽本体２内の水４０に対して酸素をより一層確実に取り込ませることができる。
【００４８】
以上で本発明の実施形態を説明したが、本発明は上記実施形態及び変形形態に限定されるものではなく、本発明の要旨を逸脱しない範囲内で様々に変更可能であることは言うまでもない。
【産業上の利用可能性】
【００４９】
本発明は鑑賞魚水槽に利用可能である。
【符号の説明】
【００５０】
１：観賞魚用水槽
２：水槽本体
２ａ：上開口周縁
２ｂ：上開口周縁の前縁部
１０：水受け板
２０：濾過器
３０：蓋体
３０ａ：蓋体の外周縁の前縁部
３１：照明具
４０：水槽本体内の水
４０ａ：濾過水
５１：第１隙間
５２：第２隙間
【図１】
2012187080.tif 000003
【図２】
2012187080.tif 000004
【図３】
2012187080.tif 000005
【図４】
2012187080.tif 000006
【図５】
2012187080.tif 000007
【図６】
2012187080.tif 000008
【図７】
2012187080.tif 000009